(57)【要約】【課題】人の指の指圧感と指圧効果とを得る。マイナスイオンや湿布薬７の効果を高める。【解決手段】人の指６の腹を成型した指圧体２にマイナスイオン加工を施す。指圧体２の球面に湿布薬７を積層する。前記指圧体２を粘着体１で人体のツボに固定する。【選択図】      図１
2004329809.tif 000002
【特許請求の範囲】
【請求項１】
少なくとも一面に球面をもつ指圧体と、この指圧体の球面側を人体に固定する粘着体とからなることを特徴とする指圧絆創膏。
【請求項２】
前記指圧体が、柔らかい素材と骨状物とを複合させていることを特徴とする請求項１記載の指圧絆創膏。
【請求項３】
指圧体にマイナスイオン加工を施したことを特徴とする請求項１または２記載の指圧絆創膏。
【請求項４】
指圧体に湿布薬を積層したことを特徴とする請求項１または２記載の指圧絆創膏。
【請求項５】
指圧体を中空にして、内部に湿布材を内包したことを特徴とする請求項１または２記載の指圧絆創膏。
【発明の詳細な説明】
【０００１】
【発明の属する技術分野】
本発明は、人体のツボを刺激して血行を盛んにし、筋肉のコリをほぐす指圧体を、粘着体で人体のツボに固定できる指圧絆創膏。
【０００２】
【従来の技術】
従来、人体に固定する磁気治療絆創膏や湿布薬があった。磁気治療絆創膏は、磁気治療器を肩や腰に絆創膏で固定する別名「磁気テープ」と言われており、広く知られ使われている。湿布薬は、筋肉痛などの患部に貼り、粘着テープで固定することが広く知られ使われている。
【０００３】
【発明が解決しようとする課題】
前記磁気テープは、磁気治療器を人体に押し当てた状態で固定するため、硬くて人体のツボにフィットしないし、磁気治療器の形状の跡が体に残るという欠点があった。また、湿布薬は筋肉疲労などの患部に貼って、粘着テープで固定しても、湿布薬の中央部が浮いた状態になり易く、隙間ができやすいおそれがあるため、湿布薬の効果が十分得られないという問題点があった。
【０００４】
本発明は、上記種々の問題点を解決するためのもので、人体のツボにマッチする形状の指圧体を粘着体で人体に固定して、手軽に指圧ができるようにした指圧絆創膏の提供を目的とする。
【０００５】
【課題を解決するための手段】
上記目的を達成するために、本発明に係る指圧絆創膏は、少なくとも一面に球面をもつ指圧体と、この指圧体の球面側を人体に固定する粘着体とからなり、指圧体を人体に押し当てた状態で簡単に固定できるように構成したものである。
【０００６】
また、請求項２記載の指圧体は、柔らかい素材と骨状物とを複合させることからなり、ツボに程よい刺激を与えられるように構成した。
【０００７】
また、請求項３記載の指圧体は、該指圧体にマイナスイオン加工を施したことにより、血行が良好になるように構成した。
【０００８】
また、請求項４記載の指圧体は、これに湿布薬（薬草）を積層したことにより、ツボに指圧体と共に湿布薬を固定できるように構成した。
【０００９】
また、請求項５記載の指圧体を中空にして、内部に湿布材を内包したことからなり、民間療法で別名「温灸」と言われる温熱療法に、指圧体を簡単に適用できるようにした。
【００１０】
【発明の実施の形態】
以下、本発明の実施の形態を、図面を参照しながら説明する。
図１は、少なくとも一面に球面をもつ指圧体２を、人体３に粘着体１で固定する説明図である。一面に球面をもつ指圧体２は、好ましくは人の親指６または他の指６′のプラスチック成型品が望ましい。
【００１１】
前記指圧体２の素材は天然ゴムや合成ゴムが好ましい。このゴムを発泡させた指圧体２の、その球面が柔らかすぎるときは、球面にシリコン加工を施すなど、若干硬めに加工することが望ましい。もちろんこれにこだわらない。
【００１２】
また、指圧体２は図２の如く、指圧やマッサージの形を取った手５の指６を成型することが望ましい。もちろんこれにこだわらない。また、型を取る指６は女性や子供でもよいし、どの指６、６′でもよい。年令や性別にはこだわらない。
【００１３】
図３（ａ）のように、指圧体２を中空（凹状）のものでも、また、図３（ｂ）のように無垢のような物のでもよい。また、それらは固くても柔らかくてもよいし、スポンジ体であっても骨状物であつてもよい。
【００１４】
図４は、指圧体２を柔らかく作り、その柔らかい素材と骨状物４とを複合させている図で、骨状物４は、図４（ａ）のように突起でもよいし、図４（ｂ）のように平らでもよい。固いものはプレート４でもよい。もちろん骨状物４の形状にはこだわらない。
【００１５】
図５は、指圧体２に積層した湿布薬（薬草）７の断面図である。湿布薬７の断面形状は、指圧体２の球面側の形状に沿うようになる。
【００１６】
また、指圧体２は粘着体１で人体３に固定するため、指圧体２は直接肌に付けるものだから、人体３に悪影響な有害物質の入っていない素材で作られる。
【００１７】
図６は、指圧体２を中空にした内部に湿布材８を内包した指圧体２の断面図である。湿布材８の素材は、絆創膏１を付ける前の指圧体２を電子レンジで温めて温湿布指圧体２、冷凍庫に入れて冷せば冷湿布指圧２に適用できる蓄熱材８が望ましい。
【００１８】
また、湿布材８を内包する指圧体２の素材はいかなるものでもよいが、ゲル剤などの場合はポリエチレンが、使い捨てカイロ材８場合は不織布が望ましい。また、貼るカイロは衣類と肌の間が開いて保温が不十分になりやすいから、カイロ面の粘着部分に繊維等のカバーを貼ったカイロを肌に直接貼るとよく、温または冷湿布指圧体２も、その球面に繊維製のカバー９を付け粘着体１で人体に固定することが望ましい。そのカバー９の形状は球面側の形状に沿うものである。
【００１９】
また、指圧体２を人体３に固定する粘着体１の基材は布が、粘着剤はアクリル樹脂が望ましい。もちろんこれにこだわらない。また、形状はいかなるものでもよいが、楕円形の粘着体１が望ましい。色も自由なんだけれども、肌色の無地や千代紙などの模様をプリントした粘着体１が望ましい。
【００２０】
また、指圧体２に施すマイナスイオン加工の素材にはこだわらないけれど、マイナスイオンを放射する鉱物や、マイナスイオンと遠赤外線を放射するセラミックや木炭が望ましい。その素材を粒子にして指圧体２の球面に塗布することが望ましい。もちろんこれにこだわらない。
【００２１】
なお、種々な素材の指圧体２を形成し、その中から望む指圧感と指圧の効果と、マイナスイオンなどの人体に有益な効果とを得る指圧体２を選択し、その指圧体２を身体のツボに貼って指圧するものである。
【００２２】
【発明の効果】
本発明は、以上説明したように構成されているので、以下に記載されるような効果を奏する。
【００２３】
請求項１によれば、人体に指圧体を貼るだけで指圧ができる指圧絆創膏をツボに貼れば、仕事や家事をしながら身体のコリをほぐすから、時間も手間もかからない使い勝手のよい指圧具である。
【００２４】
だから、人体や足うらのツボ図を見ながら指圧体をツボに貼れば、楽々健康指圧や楽々美容指圧が簡単にできる便利な指圧絆創膏である。
【００２５】
請求項２によれば、押したり揉んだりして人体のツボに刺激を与えコリをほぐす指圧のように、指圧絆創膏もツボに貼った指圧体が、人の指の指圧感でツボに刺激を与えてコリをほぐす優れた指圧具である。
【００２６】
請求項３によれば、マイナスイオンや遠赤外線加工を施した指圧体をツボに貼れば、指圧とマイナスイオンの血液のアルカリ化効果や、指圧と遠赤外線の血液の流れをよくして体の芯から温めるなどの人体に有益な効果を得る。
【００２７】
請求項４によれば、筋肉痛や筋肉疲労の患部のツボに湿布薬を積層した指圧体を貼れば、ツボに密着するので湿布薬の効果は高まり、指圧の効果で血行を活発にしてコリをほぐす指圧絆創膏である。
【００２８】
だから、仕事やスポーツの前にツボを指で押し、痛くて気持ちのよい凝っているツボに指圧体を貼れば、体や筋肉の動きに合わせて指圧体が心地よくツボを刺激してコリをほぐすから、仕事やスポーツをしながら筋肉痛や筋肉疲労を予防軽減する指圧具である。しかも、コンパクトだから貼っていても目立たないオシャレな装いにも適した指圧絆創膏である。
【００２９】
請求項５によれば、体が冷たく冷え込む時、温湿布指圧体をツボに貼れば、全身の血行をよくして体を温めることができる。また、冷湿布指圧体を首筋や脇の下に貼れば、体温を下げ暑さを軽減し汗による化粧崩れを防ぎ、暑い夏を快適にするものである。また、カバーを綿製にすればより快適である。
【００３０】
これら種々の指圧体の中から望む指圧感と指圧効果とを選択し、ツボに貼るだけで人体に有益な諸効果を得ることができる。また、カイロ材を内包した指圧体以外の指圧体は、粘着体を取り替えて繰り返し使えるから経済的である。
【図面の簡単な説明】
【図１】指圧絆創膏を人体に貼り固定する実施例を示す説明図である。
【図２】指圧体の実施例を示す図である。
【図３】指圧体の実施例を示す断面図である。
【図４】指圧体と骨状物を複合させている実施例を示す断面図である。
【図５】指圧体の球面に湿布薬を積層した実施例を示す断面図である。
【図６】湿布材を内包した指圧体の実施例を示す断面図である。
【符号の説明】
１  粘着体
２  指圧体
３  人体
４  骨状物
５  手
６  親指
６′他の指
７  湿布薬（薬草）
８  湿布材
９  カバー
【図１】
2004329809.tif 000003
【図２】
2004329809.tif 000004
【図３】
2004329809.tif 000005
【図４】
2004329809.tif 000006
【図５】
2004329809.tif 000007
【図６】
2004329809.tif 000008